(57)【特許請求の範囲】
【請求項１】
雌バックルと雄バックルが分離可能に結合されるバックルであって、
前記雄バックルは、
第１連結具が一端に形成された雄バックル本体と、
前記雄バックル本体の他端の一側に形成され、外側面に第１案内面が形成された結合案内片と、
前記雄バックル本体の他端の他側に前記結合案内片からは一定距離を置いて形成され、外部から加わる圧力によって前記結合案内片側に遊動できるように弾性を有し、外側面に係止突起が形成され、前記係止突起の外側面に第２案内面が内側に傾くように形成された弾性結合片と
を含み、
前記雌バックルは、
第２連結具が一端に形成された雌バックル本体と、
前記雌バックル本体の他端に形成され、前記結合案内片及び前記弾性結合片が内側に挿入される収容空間が形成された収容体と、
前記収容体の一側に切欠形成されたもので、前記結合案内片及び前記弾性結合片が前記収容空間に挿入されるとき、前記弾性結合片の係止突起が露出された形態に係止される係止孔とを含み、
前記第１案内面は、前記結合案内片の前記雌バックルへの挿入を案内し、
前記第２案内面は、前記弾性結合片の前記雌バックルへの挿入を案内し、
前記結合案内片の上面と下面には、
第１案内溝を挟んで一対の第１案内突起がそれぞれ形成され、
前記収容体の内側の上面と下面には、
前記第１案内突起と対応する一対の第２案内溝が前記第１案内溝と対応する第２案内突起を挟んでそれぞれ形成される
ことを特徴とする、分離操作が容易なバックル。
【請求項２】
前記第１案内面は、
前記弾性結合片側に傾くように形成されることを特徴とする、請求項１に記載の分離操作が容易なバックル。
【請求項３】
前記第２案内面は、
前記結合案内片側に傾くように形成されることを特徴とする、請求項１に記載の分離操作が容易なバックル。
【請求項４】
前記第１連結具は、
前記雄バックル本体の一端の一側と他側にそれぞれ同一線上に形成された一対の第１連結孔を含むことを特徴とする、請求項１に記載の分離操作が容易なバックル。
【請求項５】
前記第２連結具は、
前記雌バックル本体の一端の一側と他側にそれぞれ同一線上に形成された一対の第２連結孔を含むことを特徴とする、請求項１に記載の分離操作が容易なバックル。
【発明の詳細な説明】
【技術分野】
【０００１】
本発明は、ベルト、腰帯、靴紐などの対象物を結束するために、かばん、衣類、靴などに使われるバックルに係り、より詳しくは、分離可能に結合される一対の雌バックルと雄バックルが簡単な操作で簡便に分離される分離操作が容易なバックルに関するものである。
【背景技術】
【０００２】
一般に、バックル（ｂｕｃｋｌｅ）は、かばん、衣類、靴などの製品に使われるもので、ベルト、腰帯、靴紐などの一本の紐の両端又は二本の紐を簡便に結束させるための装置である。
【０００３】
このような従来のバックルは一対の雌バックルと雄バックルが互いに分離可能な形態に構成されている。
【０００４】
すなわち、雌バックルと雄バックルを結合させるときは、雄バックルの端部を雌バックルの内側に挿入した状態で一定圧力以上の圧力で押し込めば、雄バックルの端部両側に形成された弾性片が雌バックルの両側に形成された係止孔に係止されて互いに結合される構造である。
【０００５】
そして、雌バックルと雄バックルを分離させるときは、雌バックルの係止孔に露出された雄バックルの弾性片を一定圧力以上の圧力で加圧すれば、雄バックルが雌バックルから離脱しながら互いに分離される構造である。
【０００６】
しかし、従来のバックルは、雌バックルと雄バックルを分離するとき、雄バックルの二つの弾性片を同等な圧力で同時に加圧しない場合、雄バックルの端部が雌バックルの内側で一側に偏るため、一度に分離されなくて使用に不便さを与える問題点がある。
【０００７】
特に、バックルが設置される位置や適用される製品によって雄バックルの二つの弾性片を把持することができる空間が十分ではない場合、雄バックルの二つの弾性片を同時に同等な圧力で加圧しやすくないため、前述したような問題がより大きくなる。
【発明の概要】
【発明が解決しようとする課題】
【０００８】
本発明は、前述した問題点を解消するために発明されたもので、雌バックルと雄バックルの構造及び形態を改善して補うことで、バックルの把持が易しくない場合にも、雌バックルと雄バックルを簡便な操作で容易に分離することができるようにする分離操作が容易なバックルを提供することにその目的がある。
【０００９】
本発明の目的は以上で言及した目的に制限されず、言及されなかった他の目的は下記の記載から明らかに理解可能であろう。
【課題を解決するための手段】
【００１０】
上記目的を達成するための本発明による分離操作が容易なバックルは、雌バックルと雄バックルが分離可能に結合されるバックルであって、前記雄バックルは、第１連結具が一端に形成された雄バックル本体、前記雄バックル本体の他端の一側に形成され、外側面に第１案内面が形成された結合案内片、及び前記雄バックル本体の他端の他側に前記結合案内片からは一定距離を置いて形成され、外部から加わる圧力によって前記結合案内片側に遊動できるように弾性を有し、外側面に係止突起が形成され、前記係止突起の外側面に第２案内面が内側に傾くように形成された弾性結合片を含んでなり、前記雌バックルは、第２連結具が一端に形成された雌バックル本体、前記雌バックル本体の他端に形成され、前記結合案内片及び前記弾性結合片が内側に挿入される収容空間が形成された収容体及び前記収容体の一側に切欠形成されたもので、前記結合案内片及び前記弾性結合片が前記収容空間に挿入されるとき、前記弾性結合片の係止突起が露出された形態に係止される係止孔を含んでなることを特徴とする。
【００１１】
前記第１案内面は、前記弾性結合片側に傾くように形成されることを特徴とする。
【００１２】
前記第２案内面は、前記結合案内片側に傾くように形成されることを特徴とする。
【００１３】
前記結合案内片の上面と下面には、第１案内溝を挟んで一対の第１案内突起がそれぞれ形成され、前記収容体の内側の上面と下面には、前記第１案内突起と対応する一対の第２案内溝が前記第１案内溝と対応する第２案内突起を挟んでそれぞれ形成されることを特徴とする。
【００１４】
前記第１連結具は、前記雄バックル本体の一端の一側と他側にそれぞれ同一線上に形成された一対の第１連結孔を含むことを特徴とする。
【００１５】
前記第２連結具は、前記雌バックル本体の一端の一側と他側にそれぞれ同一線上に形成された一対の第２連結孔を含むことを特徴とする。
【発明の効果】
【００１６】
前述した構成による本発明は、雌バックルと雄バックルが結合された状態で雌バックルの一側に露出された雄バックルの係止突起を加圧すれば、雄バックルが雌バックルから簡便に分離されることにより、バックルの把持が易しくない場合にもバックルの分離操作を容易に行うことができるので、バックルを一層便利に使うことができる効果が期待される。
【図面の簡単な説明】
【００１７】
【図１】本発明の好適な実施例による使用便宜性を高めたバックルの結合状態を示す斜視図である。
【図２】本発明の好適な実施例による使用便宜性を高めたバックルの分離状態を示す斜視図である。
【図３】本発明の好適な実施例による使用便宜性を高めたバックルの雄バックルを示す斜視図である。
【図４】本発明の好適な実施例による使用便宜性を高めたバックルの雌バックルを示す斜視図である。
【発明を実施するための形態】
【００１８】
本発明による使用便宜性を高めたバックルは、かばん、靴、衣類などに使われるベルト、腰帯、靴紐などを結束するためのもので、一対の雌バックルと雄バックルからなり、簡単な操作によって互いに結合及び分離される構造を有するものである。
【００１９】
特に、本発明による使用便宜性を高めたバックルは、雌バックルと雄バックルが結合された状態でバックルの把持が易しくない場合にも簡便な操作で便利に分離することができることが特徴である。
【００２０】
このような特徴は、雄バックルと雌バックルが結合された状態で雌バックルの一側に形成された係止孔に露出された状態で係止された雄バックルの弾性結合片を一定圧力以上の圧力で加圧すれば雄バックルが雌バックルから分離される構造によって達成される。
【００２１】
すなわち、従来のバックルの分離方式とは違い、一指で雄バックルの弾性結合片を加圧することだけで雄バックルと雌バックルが簡便に分離される。
【００２２】
したがって、バックルが設置される位置又は適用される製品によってバックルの把持が易しくない条件でもバックルの分離操作が容易であるので、バックルをもっと便利に使うことができる。
【００２３】
以下、本発明の好適な実施例を添付図面に基づいて詳細に説明すれば次の通りである。
【００２４】
本発明の好適な実施例による使用便宜性を高めたバックル１００は、図１及び２に示したように、互いに結合可能な形態を有する雌バックル３００と雄バックル２００からなることができる。
【００２５】
まず、前記雄バックル２００は、図３に示すように、雄バックル本体２１０、結合案内片２３０及び弾性結合片２４０を含んでなることができる。
【００２６】
前記雄バックル本体２１０は結合案内片２３０と弾性結合片２４０を支持する構成である。
【００２７】
この際、雄バックル本体２１０の一端には第１連結具２２０が形成されることが好ましい。
【００２８】
前記第１連結具２２０は、ベルト、腰帯、靴紐などを雄バックル２００に連結するための構成である。このために、第１連結具２２０は、図３に示すように、雄バックル本体２１０の一端の一側と他側にそれぞれ同一線上に形成された一対の第１連結孔２２１を含むこともできる。
【００２９】
前記結合案内片２３０は雄バックル本体２１０の他端の一側に形成されるもので、雄バックル２００と雌バックル３００が結合されるとき、弾性結合片２４０と一緒に雌バックル３００の内側に挿入されながら弾性結合片２４０が雌バックル３００の内側に結合されるように案内する構成である。
【００３０】
このために、結合案内片２３０は外側面に第１案内面２３１が形成される。前記第１案内面２３１は雄バックル本体２１０の中心に向かって内側に傾くように形成されることが好ましい。
【００３１】
前記弾性結合片２４０は雄バックル本体２１０の他端の他側に形成されるもので、雄バックル２００と雌バックル３００が結合されるとき、結合案内片２３０と一緒に雌バックル３００の内側に挿入されながら雌バックル３００に係止固定されることにより、雄バックル２００が雌バックル３００から分離されないようにする構成である。
【００３２】
このために、弾性結合片２４０は結合案内片２３０からは所定間隔を置いて形成され、外部から加わる圧力によって結合案内片２３０側に遊動できるように弾性を有する形態に形成されることが好ましい。
【００３３】
そして、弾性結合片２４０の外側面には係止突起２４１が突設されることが好ましい。この際、係止突起２４１の外側面には第２案内面２４２が形成される。前記第２案内面２４２は雄バックル本体２１０の中心に向かって内側に傾くように形成されることが好ましい。
【００３４】
次に、前記雌バックル３００は、図４に示すように、雌バックル本体３１０、収容体３３０及び係止孔３４０を含んでなることができる。
【００３５】
前記雌バックル本体３１０は収容体３３０を支持する構成である。
【００３６】
この際、雌バックル本体３１０の一端には第２連結具３２０が形成されることが好ましい。
【００３７】
前記第２連結具３２０は、ベルト、腰帯、靴紐などを雌バックル３００に連結するための構成である。このために、第２連結具３２０は、図４に示すように、雌バックル本体３１０の一端の一側と他側にそれぞれ同一線上に形成された一対の第２連結孔３２１を含むことができる。
【００３８】
前記収容体３３０は雌バックル本体３１０の他端に形成されるもので、雄バックル２００との結合の際、雄バックル２００の結合案内片２３０と弾性結合片２４０を内側に収容する構成である。
【００３９】
このために、収容体３３０は入口が開口した収容空間３３１が内側に形成されることが好ましい。前記収容空間３３１は結合案内片２３０と弾性結合片２４０が内側に挿入されるように結合案内片２３０と弾性結合片２４０が成す形状と対応するように形成される。
【００４０】
すなわち、収容体３３０の内側に結合案内片２３０と弾性結合片２４０が挿入されるとき、第１案内面２３１と第２案内面２４２が収容体３３０の内面の両側と接触する過程で弾性結合片２４０が結合案内片２３０側に遊動するにつれて結合案内片２３０と弾性結合片２４０が成す直径が小さくなる作用によって収容体３３０の内側に自然に挿入される。
【００４１】
前記係止孔３４０は収容体３３０の一側に切欠形成されるもので、結合案内片２３０と弾性結合片２４０が収容空間３３１に挿入された状態で係止突起２４１が係止固定されるようにすることにより、雄バックル２００が雌バックル３００から分離されないようにする構成である。
【００４２】
すなわち、係止孔３４０は、収容空間３３１の内側に結合案内片２３０と弾性結合片２４０が全く挿入されるにつれて弾性結合片２４０が結合案内片２３０から一定間隔で離隔する元の位置に弾性的に復帰するとき、係止突起２４１が露出された形態に係止固定されるものである。
【００４３】
したがって、図１のような状態で雄バックル２００の係止突起２４１を一定圧力以上の圧力で加圧すれば、係止突起２４１が係止孔３４０の内側に押し込まれ、結合案内片２３０と弾性結合片２４０が一緒に収容体３３０から離脱することにより、雄バックル２００と雌バックル３００が図２に示すように分離される。
【００４４】
一方、図２に示すように、結合案内片２３０の上面と下面の両側には第１案内溝２３３を挟んで一対の第１案内突起２３２がそれぞれ形成され、収容体３３０の内側の上面と下面の両側には一対の第２案内溝３３３が第２案内突起３３２を挟んでそれぞれ形成されることができる。
【００４５】
ただ、第１案内突起２３２は第２案内溝３３３と対応する形態に構成され、第２案内突起３３２は第１案内溝２３３と対応する形態に構成されることが好ましい。
【００４６】
前記第１案内突起２３２と第２案内突起３３２は、結合案内片２３０と弾性結合体２４０が収容体３３０の収容空間内側に挿入されるとき、第１案内溝２３３と第２案内溝にそれぞれ挿入された状態で案内されることにより、結合案内片２３０と弾性結合体２４０が所定の位置に正しく挿入されるようにするものである。
【００４７】
以上のように、本発明による分離操作が容易なバックルは、雌バックルと雄バックルが結合された状態で雌バックルの一側に露出された雄バックルの係止突起を加圧すれば雄バックルが雌バックルから簡便に分離されることにより、バックルの把持が易しくない場合にもバックルの分離操作を容易に行うことができるので、バックルをもっと便利に使うことができるようにする。
【００４８】
前述した実施例は例示的なものに過ぎず、当該技術分野で通常の知識を有する者であればこれから他の多様な変形実施例が可能である。したがって、本発明の真正な技術的保護範囲には下記の特許請求範囲に記載された発明の技術的思想によって前記実施例だけではなく他の多様な変形実施例が含まれなければならない。
【産業上の利用可能性】
【００４９】
本発明は、ベルト、腰帯、靴紐などの対象物を結束するために、かばん、衣類、靴などに使われるバックルに関するもので、より詳しくは分離可能に結合される一対の雌バックルと雄バックルが簡単な操作で簡便に分離される分離操作が容易なバックルの分野に利用可能である。
【図１】
0006267827.tif 000002
【図２】
0006267827.tif 000003
【図３】
0006267827.tif 000004
【図４】
0006267827.tif 000005